(57)【要約】【課題】操作部を用いずに行う曲の操作を、新たな部品を追加することなく実現できるようにする。【解決手段】周囲の音声を拾って音声信号に変換する、ヘッドホンと一体に構成されたノイズ収音用のマイクロフォン３５Ｌ（Ｒ）と、音声信号からノイズを検出した場合に、ノイズを軽減させるためのキャンセル信号を生成するノイズ検出部３７Ｌ（Ｒ）を備えた。また、オーディオ信号に、ノイズ検出部３７Ｌ（Ｒ）で生成されたキャンセル信号を加算して出力する信号処理部３２Ｌ（Ｒ）と、信号処理部３２Ｌ（Ｒ）から出力されたオーディオ信号が供給されて、音声として出力するドライバとを備えた。そして、音声信号を分析することによって、ヘッドホン２Ｌ（Ｒ）に対するユーザの操作内容を判別し、判別の結果に応じて、オーディオ信号の再生に関する動作を制御するためのコマンドを生成するようにした。【選択図】図２
2010213099.tif 000002
【特許請求の範囲】
【請求項１】
周囲の音声を拾って音声信号に変換する、ヘッドホンと一体に構成されたノイズ収音用のマイクロフォンと、
前記マイクロフォンで生成された音声信号から前記ノイズを検出した場合に、前記ノイズを軽減させるためのキャンセル信号を生成するノイズ検出部と、
オーディオコンテンツの再生信号であるオーディオ信号に、前記ノイズ検出部で生成されたキャンセル信号を加算して出力する信号処理部と、
前記信号処理部から出力されたオーディオ信号を音声に変換して出力するドライバと、
前記マイクロフォンにより生成された音声信号を分析することによって、前記ヘッドホンに対するユーザの操作内容を判別し、前記判別の結果に応じて、前記オーディオ信号の再生に関する動作を制御するためのコマンドを生成する操作判別部とを備えた、
音声信号処理装置。
【請求項２】
前記操作判別部は、前記音声信号の分析の結果、前記ユーザよる前記ヘッドホンを叩く操作があったと判断した場合で、前記オーディオ信号の再生中であれば前記オーディオ信号の再生を停止させるコマンドを生成し、前記オーディオ信号の再生が停止中であれば前記オーディオ信号の再生を開始させるコマンドを生成する
請求項１記載の音声信号処理装置。
【請求項３】
前記操作判別部はタイマを備え、
前記操作判別部は、前記ユーザによる前記ヘッドホンを叩く操作の検知時に前記タイマを開始させ、前記タイマが停止するまでの間に前記ユーザによる前記ヘッドホンを叩く操作を新たに検出した場合は、前記オーディオ信号の再生位置を、前記オーディオコンテンツの１トラック分前又は後ろに移動させるためのコマンドを生成する
請求項２記載の音声信号処理装置。
【請求項４】
前記操作判別部は、前記タイマが停止するまでの間に前記ユーザによる前記ヘッドホンを叩く操作を新たに検出した場合であって、前記操作が右側のヘッドホンに入力されたと判断した場合には、前記オーディオ信号の再生位置を前記１トラック分前に進めるためのコマンドを生成し、前記操作が左側のヘッドホンに入力されたと判断した場合には、前記オーディオ信号の再生位置を前記１トラック分後ろに進めるためのコマンドを生成する
請求項３記載の音声信号処理装置。
【請求項５】
前記操作判別部は、前記ユーザによる前記ヘッドホンの接触が所定の期間継続した場合には、前記オーディオ信号の音量を前記接触時間の長さと比例するレベルに増大させるためのコマンドを生成する
請求項４記載の音声信号処理装置。
【請求項６】
前記操作判別部により生成されたコマンドに応じて、前記オーディオ信号の再生に関する動作を制御するオーディオ再生処理部を備えた
請求項３記載の音声信号処理装置。
【請求項７】
前記ノイズ検出部及び前記信号処理部及び前記操作判別部は、前記ヘッドホンに内蔵される
請求項３記載の音声信号処理装置。
【請求項８】
前記ノイズ検出部及び前記信号処理部及び前記操作判別部は、前記オーディオ再生処理部が設けられた装置側に内蔵される
請求項３記載の音声信号処理装置。
【請求項９】
ヘッドホンと一体に構成されたノイズ収音用のマイクロフォンが、周囲の音声を拾って音声信号に変換するステップと、
前記マイクロフォンで生成された音声信号から前記ノイズを検出した場合に、前記ノイズを軽減させるためのキャンセル信号を生成するステップと、
オーディオコンテンツの再生信号であるオーディオ信号に、前記生成されたキャンセル信号を加算して出力するステップと、
前記信号キャンセル信号が加算されたオーディオ信号をドライバから出力するステップと、
前記マイクロフォンにより生成された音声信号を分析することによって、前記ヘッドホンに対するユーザの操作内容を判別し、前記判別の結果に応じて、前記オーディオ信号の再生に関する動作を制御するためのコマンドを生成するステップとを含む、
音声信号処理方法。
【発明の詳細な説明】
【技術分野】
【０００１】
本発明は、例えばノイズキャンセリング機能を有するヘッドホン又はオーディオ再生装置に適用して好適な音声信号処理装置及び音声信号処理方法に関する。
【背景技術】
【０００２】
従来、携帯型のオーディオ再生装置における、曲の操作を行う操作部の配置位置は、以下の３つのパターンにほぼ分類されるものと考えられる。
（１）オーディオ再生装置本体に設けられたパターン
（２）オーディオ再生装置本体とヘッドホンとを接続するコードの途中に設けられたパターン
（３）ヘッドホン上に設けられたパターン
【０００３】
図６（ａ）は、（１）のパターンにおけるオーディオ再生装置及びヘッドホン（以下、これらを総称して「システム」とも称する）構成例を示した図である。オーディオ再生装置１００Ａの本体に、表示部１０１とともに、ボタン等よりなる操作部１０２Ａが設けられている。
【０００４】
ユーザが移動中等に曲の操作を行う場合を考えると、このように構成されたオーディオ再生装置１００Ａは、ユーザの手の届く範囲内のいずれかの位置に置かれる（収納される）必要がある。すなわち、後ろに背負っているバッグの中等ではなく、ユーザが着用している衣類のポケットの中等に入れておく必要がある。ところが、例えば交通量の多い場所では、曲の操作を行おうとしてオーディオ再生装置１００Ａの本体や操作部１０２Ａの位置を探す動作等を行うと、危険な場合もある。
【０００５】
図６（ｂ）は、（２）のパターンにおけるシステムの構成例を示した図である。この例では、操作部１０２Ｂが、オーディオ再生装置１００Ｂとヘッドホン１０３とを繋ぐコード１０４の途中に、リモートコントローラとして設けられている。このように構成されていることで、ユーザは、どのような状況下でもリモートコントローラを用いて容易に曲の操作を行えるようになる。しかし、リモートコントローラを独立して設けるとなると、コストがかかってしまうという問題があった。
【０００６】
図６（ｃ）は、（３）のパターンにおけるシステムの構成例を示した図である。この例では、オーバーヘッドバンド式のヘッドホン１０３Ａの側面に操作部１０２Ｃが設けられている。ところが、このように大きなヘッドホン１０３Ａを携帯するのは不便であるという問題があった。さらに、操作部１０２Ｃをヘッドホン１０３Ａ上に設けるのに、コストがかかってしまうという問題もある。
【０００７】
このため、操作部を用いずに曲の操作又はその他の操作を実現する手法が考えられている。例えば特許文献１には、ヘッドホンの内部にユーザによるヘッドホンのタップ（叩く）操作を検出する加速度センサを内蔵させ、タップ操作によって、携帯電話のオンフックとオフフックとを切り替えられるようにする技術が記載されている。
【先行技術文献】
【特許文献】
【０００８】
【特許文献１】特開２００３−１４３６８３号公報
【発明の概要】
【発明が解決しようとする課題】
【０００９】
しかしながら、特許文献１に記載の技術を実現するには、ヘッドホンの内部に加速度センサを設ける必要があり、コストの増大に繋がってしまうという問題があった。
【００１０】
本発明はかかる点に鑑みてなされたものであり、操作部を用いずに行う曲の操作を、新たな部品を追加することなく実現できるようにすることを目的とする。
【課題を解決するための手段】
【００１１】
本発明は、周囲の音声を拾って音声信号に変換する、ヘッドホンと一体に構成されたノイズ収音用のマイクロフォンを備えた音声信号処理装置に適用される。音声信号処理装置は、マイクロフォンで生成された音声信号からノイズを検出した場合に、ノイズを軽減させるためのキャンセル信号を生成するノイズ検出部を備える。また、オーディオ信号にノイズ検出部で生成されたキャンセル信号を加算して出力する信号処理部と、信号処理部から出力されたオーディオ信号を音声に変換して出力するドライバとを備える。その上で、マイクロフォンにより生成された音声信号を分析することによって、ヘッドホンに対するユーザの操作内容を判別し、判別の結果に応じて、オーディオ信号の再生に関する動作を制御するようにした。
【００１２】
このようにしたことで、ノイズキャンセル用に設けられたマイクロフォンからの音声信号によって、ユーザによるヘッドホンへの操作内容が判別され、その判別結果に応じてオーディオ信号の再生に関する動作が制御されるようになる。
【発明の効果】
【００１３】
本発明によれば、ユーザによるヘッドホンへの操作の内容に応じて、オーディオ信号の再生に関する動作が制御されるため、新たな部品を追加することなく、オーディオ（曲）の再生に関する動作を操作できるようになる。
【図面の簡単な説明】
【００１４】
【図１】本発明の一実施の形態によるシステムの全体構成例を示す概要図である。
【図２】本発明の一実施の形態によるシステムの内部構成例を示すブロック図である。
【図３】本発明の一実施の形態によるマイクロフォンで収音された音声信号の波形の例を示すグラフであり、（ａ）がフィルタ入力前の波形の例を示し、（ｂ）がフィルタ通過後の波形の例を示し、（ｃ）がＡＤ変換後の波形の例を示す。
【図４】本発明の一実施の形態による操作判別部及びオーディオ再生処理部での処理の例を示すフローチャートである。
【図５】本発明の一実施の他の例によるオーディオ再生装置の内部構成例を示すブロック図である。
【図６】従来のオーディオ再生装置及びヘッドホンの構成例を示す説明図であり、（ａ）は装置本体に操作部が設けられた例を示し、（ｂ）は装置本体とヘッドホンとを繋ぐコードの途中に操作部が設けられた例を示し、（ｃ）はヘッドホン内に操作部が設けられた例を示す。
【発明を実施するための形態】
【００１５】
以下、本発明の実施の形態を、図１〜図５を参照して説明する。本実施の形態は、以下の順序で説明する。
１．第１の実施の形態［ノイズ検出部や操作判別部をヘッドホンの内部に設けた構成例］
２．第１の実施の形態の変形例［ノイズ検出部や操作判別部を装置側に設けた構成例］
【００１６】
１．第１の実施の形態
［システムの全体構成例］
図１は、第１の実施の形態の例（以下、本例とも称する）によるシステムの全体構成例を示した図である。本例のシステムは、携帯電話端末１と、ヘッドホン２Ｌ及びヘッドホン２Ｒで構成され、携帯電話端末１とヘッドホン２Ｌ及びヘッドホン２Ｒとが、コード１０により接続されている。携帯電話端末１の内部には、オーディオコンテンツの再生を行うオーディオ再生処理部（図１では図示略）が設けられており、オーディオ再生処理部で再生されたオーディオ信号が、ヘッドホン２Ｌ及びヘッドホン２Ｒを通して音声として放音される。携帯電話端末１の内部構成例については、次の図２を参照して説明する。
【００１７】
次にヘッドホン２Ｌ及びヘッドホン２Ｒの構成についての説明を行うが、ヘッドホン２Ｌとヘッドホン２Ｒは同じ構成であるため、代表としてヘッドホン２Ｌを用いて説明を行う。
【００１８】
ヘッドホン２Ｌは、入力されたオーディオ信号を音声として出力するスピーカ３４Ｌを備え、スピーカ３４Ｌの先端部には、ユーザの耳に格納されるイヤーピース２Ｌ−１がはめ込まれている。スピーカ３４Ｌの他端はスピーカ収納部２Ｌ−２内に収納されており、スピーカ収納部２Ｌ−２の内部には、マイクロフォン３５Ｌも設けてある。マイクロフォン３５Ｌは、ノイズキャンセリング機能の実現用に設けられたものであり、周囲の音声を拾って音声信号に変換し、音声信号を、コード１０を通して携帯電話端末１に送信する。スピーカ収納部２Ｌ−２の一部には、マイクロフォン３５Ｌでの収音をし易くするための開口部２Ｌ−３が設けられている。
【００１９】
［システムの内部構成例］
次に、本例のシステムの内部構成例について図２を参照して説明する。図２において、図１と対応する箇所には同一の符号を付してある。まず、携帯電話端末１の構成から説明する。
【００２０】
携帯電話端末１は、マイクロプロセッサ等よりなる制御部１１を備え、制御部１１は、制御信号が伝送される制御ライン２５又はデータが伝送されるデータライン２６を介して、携帯電話端末１内の各部と接続されている。そして制御部１１は、これらのラインを通して各部と通信を行い、各部の動作制御を行う。
【００２１】
また携帯電話端末１は、通信端末として必要な無線通信処理を行う無線電話用の通信処理部１３を備え、通信処理部１３にはアンテナ１２が接続されている。この通信処理部１３が、無線電話用の基地局と無線通信を行って、基地局との間で、双方向のデータ伝送を行う。通信処理部１３は、基地局側から受信したデータを、データライン２６を介して端末内の各部に送出する。また、端末内の各部からデータライン２６を介して伝送されたデータを、基地局側に送信させる。
【００２２】
制御ライン２５には、通信処理部１３の他に、表示部１４と操作部１５と記憶部１６とが接続されている。表示部１４は、液晶表示ディスプレイや有機ＥＬディスプレイなどが表示手段として使用され、制御部１１による制御に基づいて、各種情報の表示を行う。操作部１５は、携帯電話端末として必要な数字や記号などのダイヤルキー、各種機能キーなどで構成される。
【００２３】
操作部１５を構成する各キーのユーザによる操作情報は、制御部１１に供給される。各種設定操作を行う際には、例えば表示部１４で操作を案内する表示を行い、その表示に従ってユーザは操作部１５で操作を行って、該当する設定が行われる。記憶部１６は、ＲＯＭ（Read Only Memory）やＲＡＭ（Random Access Memory）で構成され、本実施の形態の携帯電話端末１を動作させるために必要なプログラムや、ユーザにより記憶されたオーディオコンテンツなどを記憶する。
【００２４】
また制御ライン２５には、音声処理部１９と信号判別部２１とオーディオ再生処理部２２も接続されている。音声処理部１９は、オーディオ信号の再生に関する処理を行う処理部であり、スピーカ１７及びマイクロフォン１８とが接続されている。このスピーカ１７及びマイクロフォン１８は、通話時に受話器として使用されるものである。即ち、通信処理部１３から音声処理部１９に供給される音声データを、音声処理部１９で復調してアナログ音声信号とし、増幅などのアナログ処理を行ってスピーカ１７から放音させる。また、マイクロフォン１８が集音した音声信号を、音声処理部１９でデジタル音声データに変調し、その変調された音声データを通信処理部１３に供給して、無線送信などを行う。
【００２５】
信号判別部２１には、ヘッドホン２Ｌ及びヘッドホン２Ｒから供給されるオーディオ信号が入力される。そして信号判別部２１は、入力されたオーディオ信号に重畳されたコードを分離してその内容を判別し、判別内容に応じて生成したコマンドをオーディオ再生処理部２２に供給する。ヘッドホン２Ｌ及びヘッドホン２Ｒでのコード生成処理については、後述する。
【００２６】
オーディオ再生処理部２２は、操作部１５から供給される操作情報や、信号判別部２１から供給されるコマンドに基づいて、記憶部１６等に記憶されたオーディオコンテンツを読み出し再生する。またオーディオ再生処理部２２は、再生だけでなく、早送りや巻き戻し、トラック送りの処理、オーディオ信号の音量の調整等も行う。
【００２７】
次に、ヘッドホン２Ｌ及びヘッドホン２Ｒの内部構成例について説明する。まずヘッドホン２Ｒから説明をすると、ヘッドホン２Ｒには、アナログ−デジタル変換部（以下ＡＤ変換部と称する）３１Ｒと、信号処理部３２Ｒと、デジタル−アナログ変換部（以下、ＤＡ変換部と称する）３３Ｒと、スピーカ３４Ｒとが含まれる。
【００２８】
ＡＤ変換部３１Ｒには、携帯電話端末１のオーディオ再生処理部２２で再生されたアナログのオーディオ信号が入力される。ＡＤ変換部３１Ｒは、入力されたオーディオ信号をデジタルのオーディオ信号に変換する。信号処理部３２Ｒは、ＡＤ変換部３１Ｒでデジタルの信号に変換されたオーディオ信号に様々な信号処理を施して、ＤＡ変換部３３Ｒに出力する。信号処理としては、後述するノイズ検出部３７Ｒから供給されるキャンセル信号を、ＡＤ変換部３１Ｒから供給されたオーディオ信号に重畳する処理等を行う。ＤＡ変換部３３Ｒは、信号処理部３２Ｒで信号処理が施されたオーディオ信号を、アナログのオーディオ信号に変換してスピーカ３４Ｒに供給する。
【００２９】
スピーカ３４Ｒには、入力されたオーディオ信号を音声に変換するドライバ（図示略）が組み込まれており、このドライバによって変換された音声が、スピーカ３４Ｒより音声として放音される。
【００３０】
またヘッドホン２Ｒには、マイクロフォン３５Ｒと、ＡＤ変換部３６Ｒと、ノイズ検出部３７Ｒと、フィルタ３８Ｌと、ＡＤ変換部３９Ｒと、操作判別部４０と、加算器４３も含まれる。
【００３１】
マイクロフォン３５Ｒは、周囲の音声を収音して音声信号に変換してＡＤ変換部３６Ｒとフィルタ３８Ｒに供給する。ＡＤ変換部３６Ｒは、マイクロフォン３５Ｒから供給された音声信号を、デジタルの音声信号に変換してノイズ検出部３７Ｒに出力する。ノイズ検出部３７Ｒは、ＡＤ変換部３６Ｒから出力された音声信号のレベルを検出し、そのレベルが予め定められた所定のレベル以上であった場合に、所定レベル以上の音声（騒音）を減衰させるためのキャンセル信号を生成し、信号処理部３２Ｒに供給する。
【００３２】
マイクロフォン３５Ｒからの音声信号が入力されるフィルタ３８Ｒは、音声信号に含まれる高周波成分を通過させて、ＡＤ変換部３９Ｒに供給する。つまり、マイクロフォン３５Ｒの周囲に定常的に存在する音の周波数成分はカットして、ユーザからのタップ操作により発生したと考えられる音の周波数成分を通過させる。ＡＤ変換部３９Ｒは、フィルタ３８Ｒを通過した音声信号をデジタルの音声信号に変換して、操作判別部４０に供給する。
【００３３】
図３（ａ）は、フィルタ３８Ｒに入力前の音声信号の波形の例を示してあり、図３（ｂ）には、フィルタ３８Ｒ通過後の音声信号の波形の例を示してある。図３（ａ）及び図３（ｂ）において、縦軸は音声信号のレベルを示し、横軸は時間（msec）を示す。図３（ａ）に示される波形は、０msecから３０msec付近までと、６０msec付近から１００msecまでの間に見られるレベルが比較的低い波形と、３０msec付近から６０msec付近までのレベルが比較的高い波形とで構成されている。
【００３４】
このような波形を有する音声信号がフィルタ３８Ｌを通過することにより、音声信号に含まれる高周波成分が抽出され、図３（ｂ）に示したように音声信号の波形の特徴が明確化されるようになる。
【００３５】
図３（ｃ）は、ＡＤ変換部３９Ｒによってデジタル信号に変換されたフィルタ通過後の音声信号の波形を、アナログの波形として示したものである。図３（ｂ）に示した波形が量子化されることにより、０msecから１００msecの間にマイクロフォン３５Ｒで得られた音声が、図３（ｃ）に示したような、凸型の波形を有するデジタルの音声信号に変換される。
【００３６】
図２に戻って説明を続けると、ヘッドホン２Ｒの操作判別部４０は、ＡＤ変換部３９Ｌ（３９Ｒ）で変換されたデジタル音声信号の波形情報及び／又は、ヘッドホン２ＬのＡＤ変換部３９から供給される波形情報に基づいて、ユーザによる操作入力の内容を判別する。具体的には、ヘッドホン２Ｌ又はヘッドホン２Ｒから図３（ｃ）に示したような波形を有する音声信号が入力された際に、ユーザによるヘッドホン２Ｌ又はヘッドホン２Ｒを軽く叩く（タップする）操作が入力されたものと判断する。図３（ｃ）に示した波形とは、所定の区間内に、信号レベルが他の区間と比べて大幅に高い部分が突発的に１箇所のみ発生している波形である。
【００３７】
そして、ユーザによるタップ操作を検知したタイミングで、内蔵しているタイマ４２を作動させ、所定の時間だけタイマ４２を稼働させる。タイマ４２の稼働中にも、ユーザによる操作内容の判別処理が続けられる。操作判別部４０は、タイマ４２の開始のトリガとなった音声信号の波形情報や、タイマ４２の稼働中に検出された音声信号の波形情報に基づいて、オーディオ再生処理部２２に対するコマンドの元となるコードを生成し、加算器４３に出力する。音声信号の波形とコードとの対応例については、次の図４のフローチャートの中で後述する。
【００３８】
加算器４３は、操作判別部４０から出力されたコードをオーディオ信号の伝送路に加算する処理を行う。その加算されたコードは、既に説明した携帯電話端末１の信号判別部２１で検出される。
【００３９】
ヘッドホン２Ｌには、ヘッドホン２Ｒに含まれる操作判別部４０と加算器４３以外のすべてのブロックが含まれる。ヘッドホン２Ｌにおいて、マイクロフォン３５Ｌで得られ、フィルタ３８Ｌを通過後にＡＤ変換部３９Ｌでアナログ化された音声信号は、ヘッドホン２Ｒ内の操作判別部４０に供給される。これ以外の他の各ブロックの構成はヘッドホン２Ｒにおけるものと同一であるため、説明は省略する。
【００４０】
なお、本例では操作判別部４０をヘッドホン２Ｒ側に設けた場合を例に挙げたが、ヘッドホン２Ｌ側に設けるようにしてもよい。もしくは、両方のヘッドホン内に個々に設けるようにしてもよい。
【００４１】
［システムの動作例］
次に、本例のシステムの動作例について、図４のフローチャートを参照して説明する。図４において、まず操作判別部４０（図２参照）によって、ユーザによるヘッドホン２Ｌ又はヘッドホン２Ｒのタップ操作を受け付けたか否かが判断される（ステップＳ１）。タップ操作が検出されない場合は、ステップＳ１の判断が繰り返される。タップ操作を受け付けたと判断された場合には、タイマ４２が開始される（ステップＳ２）。
【００４２】
続いて、タイマ４２が終了したか否かが判断され（ステップＳ３）、タイマ４２が終了していない場合は、次に、ユーザによる新たなタップ操作を受け付けたか否かが、操作判別部４０によって判断される（ステップＳ４）。タップ操作を受け付けたと判断された場合には、オーディオ再生処理部２２（図２参照）でオーディオ信号が再生中であるか否かが判断される（ステップＳ５）。
【００４３】
オーディオ信号が再生中でない場合には、ここで処理は終了される。オーディオ信号が再生中である場合には、ステップＳ４で検出されたタップ操作が、右側のヘッドホン２Ｒに対して行われたものであるか否かが判断される（ステップＳ６）。タップ操作の検出が行われたのが右側のヘッドホン２Ｒであった場合には、オーディオ再生処理部２２によって、オーディオ信号の再生位置が１トラック分先に移動される（ステップＳ７）。一方、タップ操作の検出が行われたのが左側のヘッドホン２Ｌであった場合には、オーディオ再生処理部２２によって、オーディオ信号の再生位置が１トラック分前に移動される（ステップＳ８）。これらの処理が行われた後は、ステップＳ１に戻る。
【００４４】
ステップＳ３でタイマ４２が終了したと判断された場合と、ステップＳ４で新たなタップ操作が検出されなかった場合には、オーディオ再生処理部２２でオーディオ信号が再生中であるか否かが判断される（ステップＳ９）。オーディオ信号が停止中である場合にはオーディオ信号の再生が開始され（ステップＳ１０）、オーディオ信号が再生中である場合には、オーディオ信号の再生が停止される（ステップＳ１１）。
【００４５】
すなわち、オーディオ信号の再生中の所定の期間内に、ユーザによる右側のヘッドホン２Ｒを２回タップする操作が行われた場合には、オーディオ信号のトラック送りがされる。２回のタップ操作が左側のヘッドホン２Ｌに対して行われた場合には、オーディオ信号のトラック戻しが行われる。
【００４６】
また、オーディオ信号の再生中にユーザによるタップ操作を１回のみ受け付けた場合には、オーディオ信号の再生が停止され、オーディオ信号の再生停止中に１回のタップ操作を受け付けた場合には、オーディオ信号の再生が開始される。
【００４７】
［実施の形態による効果］
上述した実施の形態によれば、ノイズキャンセリング機能の実現用に予めヘッドホン２Ｌ（２Ｒ）内に設けられているマイクロフォン３５Ｌ（３５Ｒ）によって、ユーザからのタップ操作の入力の有無が判断される。そして、タイマ４２によって計測される所定の期間内に行われたタップ操作の回数や、オーディオ信号の再生状態に応じて、オーディオ信号の再生に関する様々な動作が制御されるようになる。
【００４８】
すなわち、新たな部品を設けることなく、また再生動作制御用の操作部をヘッドホン２Ｌ（２Ｒ）上に設けることなく、ユーザによるオーディオ信号の再生動作の制御を実現することができる。これにより、装置の製造コストの低減を図ることができる。さらに、交通量の多い場所等ユーザにとって危険な環境においても、ユーザが安全にオーディオ（曲）の操作を行えるようになる。
【００４９】
２．第１の実施の形態の他の例
なお、図４のフローチャートに示した再生動作制御の例は一例であり、これに限定されるものではない。例えば、ヘッドホン２Ｌ（２Ｒ）へのタップ操作によって、早送りや巻き戻し等の他の操作を行えるようにしてもよい。もしくは、ユーザによるタップの操作だけではなく、ヘッドホン２Ｌ（２Ｒ）に指を継続して当てておく操作と、オーディオ信号の再生に関する動作とを対応付けるようにしてもよい。対応付ける動作としては、例えば、ユーザの指がヘッドホン２Ｌ（２Ｒ）の上に置かれている時間の長さと比例して、オーディオ信号の再生音量を増大させたり、もしくは減少させる動作等が考えられる。この場合は、ユーザの指がヘッドホン２Ｌ（２Ｒ）から離れたタイミングで、音量の増大又は減少動作を終了させるようにすればよい。
【００５０】
また、上述した実施の形態では、信号処理部３２Ｌ（３２Ｒ）やノイズ検出部３７Ｌ（３７Ｒ）、フィルタ３８Ｌ（３８Ｒ）等がヘッドホン２Ｌ（２Ｒ）に内蔵されている構成を例に挙げたが、これに限定されるものではない。例えばこれらの各ブロックを、すべてオーディオ信号の再生を行う装置側に設けるようにしてもよい。さらに、オーディオ信号の再生を行う装置は携帯電話端末１に限定されるものではなく、他の様々な装置に適用可能であるものとする。
【００５１】
図５は、第１の実施の形態の他の例が適用されるオーディオ再生装置３と、ヘッドホン２Ｌ′及びヘッドホン２Ｒ′よりなるシステムの構成例を示した図である。ヘッドホン２Ｌ′の内部には、スピーカ５１Ｌとマイクロフォン５２Ｌが設けられており、ヘッドホン２Ｒ′においても同様の構成としてある。なお、図５では、入力されたアナログのオーディオ信号をデジタル化するＡＤ変換部や信号処理部、その後段のＤＡ変換部の図示は省略してある。
【００５２】
オーディオ再生装置３には、操作判別部６１と、タイマ６２と、オーディオ再生処理部６３と、制御部６４とが含まれる。これらの各部はオーディオ再生装置３内の制御ライン７５を通して互いに接続されており、オーディオ再生処理部６３は、データライン７６にも接続されている。
【００５３】
ヘッドホン２Ｌ′内のマイクロフォン５２Ｌにより生成された音声信号は、オーディオ再生装置３内のフィルタ６５Ｌと、ＡＤ変換部６７Ｌに出力される。フィルタ６５Ｌの機能は第１の実施の例におけるものと同一であり、フィルタ６５Ｌを通過した音声信号は、ＡＤ変換部６６Ｌに出力される。ＡＤ変換部６６Ｌによってデジタル化された音声信号は、操作判別部６１に供給される。操作判別部６１での処理については前述した通りであるため、ここでは説明を省略する。
【００５４】
ＡＤ変換部６７Ｌに供給された、マイクロフォン５２Ｌからの音声信号は、デジタルの音声信号に変換された後にノイズ検出部６８Ｌに供給される。ノイズ検出部６８Ｌでは、供給された音声信号に基づいて騒音の検出が行われ、騒音が検出された場合は、キャンセル信号が生成されて加算器６９に供給される。加算器６９では、オーディオ再生処理部６３で再生されたオーディオ信号と、ノイズ検出部６８Ｌから供給されたキャンセル信号とが加算されて、ヘッドホン２Ｌ′内のスピーカ５１Ｌに出力される。ヘッドホン２Ｒ′側においても、同様の処理が行われる。
【００５５】
このように、ノイズキャンセルの処理や、ユーザによるタップ操作に基づくオーディオ信号の再生制御の処理をオーディオ再生装置３側で行わせる構成とすれば、市場に流通しているヘッドホン２Ｌ′（２Ｒ′）をそのまま流用することができる。
【００５６】
また、上述した実施の形態では、フィルタ３８Ｌ（３８Ｒ）又はフィルタ６５Ｌ（６５Ｒ）をアナログのフィルタで構成した例を挙げたが、デジタルのフィルタとして構成するようにしてもよい。このような構成とすることで、マイクロフォン３５Ｌ（３５Ｒ）及びマイクロフォン５２Ｌ（５２Ｒ）からの音声信号をデジタル化するＡＤ変換部を、ノイズキャンセル処理用とコマンド生成用（操作判別部４０（６１）入力用）とで共有とすることができる。
【符号の説明】
【００５７】
１…携帯電話端末、２Ｌ,２Ｌ′…ヘッドホン、２Ｒ，２Ｒ′…ヘッドホン、３…オーディオ再生装置、１０…コード、１１…制御部、１２…アンテナ、１３…通信処理部、１４…表示部、１５…操作部、１６…記憶部、１７…スピーカ、１８…マイクロフォン、１９…音声処理部、２１…信号判別部、２２…オーディオ再生処理部、２５…制御ライン、２６…データライン、３１Ｒ…アナログ−デジタル変換部、３２Ｌ，３２Ｒ…信号処理部、３３Ｒ…デジタル−アナログ変換部、３４Ｌ，３４Ｒ…スピーカ、３５Ｌ，３５Ｒ…マイクロフォン、３６Ｒ…アナログ−デジタル変換部、３７Ｌ，３７Ｒ…ノイズ検出部、３８Ｌ，３８Ｒ…フィルタ、３９Ｌ，３９Ｒ…アナログ−デジタル変換部、４０…操作判別部、４２…タイマ、４３…加算器、５１Ｌ，５１Ｒ…スピーカ、５２Ｌ…マイクロフォン、６１…操作判別部、６２…タイマ、６３…オーディオ再生処理部、６４…制御部、６５Ｌ…フィルタ、６６Ｌ，６６Ｒ…アナログ−デジタル変換部、６８Ｌ…ノイズ検出部、６９…加算器、７５…制御ライン、７６…データライン、１００Ａ，１００Ｂ…オーディオ再生装置、１０１…表示部、１０２Ａ，１０２Ｂ…操作部、１０２Ｃ…操作部、１０３，１０３Ａ…ヘッドホン、１０４…コード
【図１】
2010213099.tif 000003
【図２】
2010213099.tif 000004
【図３】
2010213099.tif 000005
【図４】
2010213099.tif 000006
【図５】
2010213099.tif 000007
【図６】
2010213099.tif 000008